(57)【要約】      （修正有）【課題】縦位置撮影時においても、撮影者がレリーズスイッチを容易に操作できるようにする。【解決手段】撮像装置の姿勢を検出する検出部１４と、撮像処理を指示するレリーズスイッチ２と、各種機能を設定する複数の操作スイッチ１６とを備える撮像装置であって、検出部１４による検出に基づいて、撮像装置が縦位置であるか横位置であるかを判定する状態判定手段１１０と、状態判定手段により撮像装置が縦位置であると判定された場合、複数の操作スイッチのうち、撮影者が最初に押下した操作スイッチに対して撮像処理を指示する機能を割り当てる割当手段１１０とを有する。【選択図】図２
2010226525.tif 000002
【特許請求の範囲】
【請求項１】
撮像装置の姿勢を検出する検出部と、
撮像処理を指示するレリーズスイッチと、
各種機能を設定する複数の操作スイッチとを備える撮像装置であって、
前記検出部による検出に基づいて、前記撮像装置が縦位置であるか横位置であるかを判定する状態判定手段と、
前記状態判定手段により前記撮像装置が縦位置であると判定された場合、前記複数の操作スイッチのうち、撮影者が最初に押下した操作スイッチに対して撮像処理を指示する機能を割り当てる割当手段とを有することを特徴とする撮像装置。
【請求項２】
前記撮像処理を指示する機能を割り当てる前の前記操作スイッチの操作機能を、前記レリーズスイッチに割り当てる操作割当手段を更に有することを特徴とする請求項１に記載の撮像装置。
【請求項３】
前記レリーズスイッチは、２段スイッチで構成され、
前記操作割当手段は、前記撮像処理を指示する機能を割り当てる前の前記操作スイッチの操作機能を、前記レリーズスイッチの１段目のスイッチに割り当てることを特徴とする請求項２に記載の撮像装置。
【請求項４】
前記撮像処理を指示する機能と、ＡＦ処理、ＡＥ処理及びＡＷＢ処理の少なくとも何れか１つを含む撮像準備処理を指示する機能とを前記レリーズスイッチの２段目のスイッチに割り当てる撮像割当手段を更に有すること特徴とする請求項３に記載の撮像装置。
【請求項５】
前記割当手段により前記操作スイッチに対して前記撮像処理を指示する機能が割り当てられたことを撮影者に通知する通知手段を更に有することを特徴とする請求項１乃至４の何れか１項に記載の撮像装置。
【請求項６】
前記操作スイッチの内側又は近傍に発光部を更に備え、
前記通知手段は、前記発光部を点灯させることにより、前記操作スイッチに対して前記撮像処理を指示する機能が割り当てられたことを撮影者に通知することを特徴とする請求項５に記載の撮像装置。
【請求項７】
画像表示部を更に備え、
前記通知手段は、前記画像表示部に、前記操作スイッチに対して前記撮像処理を指示する機能が割り当てられたことを表示することを特徴とする請求項５又は６に記載の撮像装置。
【請求項８】
前記複数の操作スイッチの少なくとも一部は、２段スイッチで構成されていることを特徴とする請求項１乃至７の何れか１項に記載の撮像装置。
【請求項９】
前記割当手段により前記操作スイッチに対して前記撮像処理を指示する機能が割り当てられた後、前記状態判定手段により前記撮像装置が横位置であると判定された場合、
前記操作スイッチの操作機能を、前記撮像処理を指示する機能が割り当てられる前の操作機能に戻すリセット手段を有することを特徴とする請求項１乃至８の何れか１項に記載の撮像装置。
【請求項１０】
前記操作スイッチに対して前記撮像処理を指示する機能を割り当てるか否かの選択を検出する選択検出手段を更に有し、
前記割当手段は、前記選択検出手段による検出結果に応じて、前記操作スイッチに対して前記撮像処理を指示する機能を割り当てることを特徴とする請求項１乃至９の何れか１項に記載の撮像装置。
【請求項１１】
撮像装置の姿勢を検出する検出部と、
撮像処理を指示するレリーズスイッチと、
各種機能を設定する複数の操作スイッチとを備える撮像装置の制御方法であって、
前記検出部による検出に基づいて、前記撮像装置が縦位置であるか横位置であるかを判定する状態判定ステップと、
前記状態判定ステップにより前記撮像装置が縦位置であると判定された場合、前記複数の操作スイッチのうち、撮影者が最初に押下した操作スイッチに対して撮像処理を指示する機能を割り当てる割当ステップとを有することを特徴とする制御方法。
【請求項１２】
撮像装置の姿勢を検出する検出部と、
撮像処理を指示するレリーズスイッチと、
各種機能を設定する複数の操作スイッチとを備える撮像装置を制御するためのプログラムであって、
前記検出部による検出に基づいて、前記撮像装置が縦位置であるか横位置であるかを判定する状態判定ステップと、
前記状態判定ステップにより前記撮像装置が縦位置であると判定された場合、前記複数の操作スイッチのうち、撮影者が最初に押下した操作スイッチに対して撮像処理を指示する機能を割り当てる割当ステップとをコンピュータに実行させるためのプログラム。
【発明の詳細な説明】
【技術分野】
【０００１】
本発明は、撮像装置、その制御方法及びプログラムに関するものである。特に、撮像装置を用いて縦位置撮影を行う場合に好適である。
【背景技術】
【０００２】
従来のデジタルカメラでは、静止画撮影時のシャッターを切るためのレリーズスイッチが、カメラ正面から見てカメラ上面の左側に配置されるものが多い。すなわち、レリーズスイッチは、撮影者が通常の横位置撮影時に右手の人差し指でレリーズ操作を行いやすい位置に配置されている。しかしながら、被写体の画角、構図によっては、カメラを縦にして撮影する縦位置撮影を行う場合も少なくない。このような場合、横位置撮影時に操作しやすいレリーズスイッチの配置が縦位置撮影時には必ずしも操作しやすい位置であるとは限らない。したがって、縦位置撮影時では、カメラを確実に保持できないために、手振れを起してしまったり、レンズやストロボ発光部に指がかかってしまったりして、撮影が失敗してしまう場合があった。
【０００３】
このような問題を解決するために、特許文献１では、第１のレリーズスイッチをカメラボディの右手グリップ部上方の前面又は上面に配置し、第２のレリーズスイッチを右手グリップ部下方の側面又は前面に配置しているカメラが開示されている。
このようなカメラによれば、横位置撮影時には第１のレリーズスイッチを用いて撮影を行い、縦位置撮影時には第２のレリーズスイッチを用いて撮影を行うことができる。したがって、撮影者は、横位置撮影及び縦位置撮影の何れの姿勢であっても、レリーズスイッチの操作を容易に行うことができる。
【先行技術文献】
【特許文献】
【０００４】
【特許文献１】特開２００４−３４３２８３号公報
【発明の概要】
【発明が解決しようとする課題】
【０００５】
しかしながら、特許文献１に開示されたカメラでは、レリーズスイッチを２つ用いていることから、部品のコストアップが生じてしまう。また、レリーズスイッチを２つの位置に配置するために、カメラが大型化してしまう。更に、縦位置撮影時には、撮影者の手の大きさやグリップ位置によって、撮影者がカメラを構える位置が異なるため、必ずしも縦位置撮影時の第２のレリーズスイッチが操作しやすい位置にあるとは限らない。
【０００６】
本発明は、上述したような問題点に鑑みてなされたものであり、部品のコストアップや撮像装置を大型化することなく、縦位置撮影時においても、撮影者が撮影操作を行いやすくすることを目的とする。
【課題を解決するための手段】
【０００７】
本発明は、撮像装置の姿勢を検出する検出部と、撮像処理を指示するレリーズスイッチと、各種機能を設定する複数の操作スイッチとを備える撮像装置であって、前記検出部による検出に基づいて、前記撮像装置が縦位置であるか横位置であるかを判定する状態判定手段と、前記状態判定手段により前記撮像装置が縦位置であると判定された場合、前記複数の操作スイッチのうち、撮影者が最初に押下した操作スイッチに対して撮像処理を指示する機能を割り当てる割当手段とを有することを特徴とする。
また、本発明は、撮像装置の姿勢を検出する検出部と、撮像処理を指示するレリーズスイッチと、各種機能を設定する複数の操作スイッチとを備える撮像装置の制御方法であって、前記検出部による検出に基づいて、前記撮像装置が縦位置であるか横位置であるかを判定する状態判定ステップと、前記状態判定ステップにより前記撮像装置が縦位置であると判定された場合、前記複数の操作スイッチのうち、撮影者が最初に押下した操作スイッチに対して撮像処理を指示する機能を割り当てる割当ステップとを有することを特徴とする。
また、本発明は、撮像装置の姿勢を検出する検出部と、撮像処理を指示するレリーズスイッチと、各種機能を設定する複数の操作スイッチとを備える撮像装置を制御するためのプログラムであって、前記検出部による検出に基づいて、前記撮像装置が縦位置であるか横位置であるかを判定する状態判定ステップと、前記状態判定ステップにより前記撮像装置が縦位置であると判定された場合、前記複数の操作スイッチのうち、撮影者が最初に押下した操作スイッチに対して撮像処理を指示する機能を割り当てる割当ステップとをコンピュータに実行させるためのプログラムである。
【発明の効果】
【０００８】
本発明によれば、撮影者が縦位置撮影を行う場合であっても、撮影操作を容易に行うことができる。
【図面の簡単な説明】
【０００９】
【図１】第１の実施形態に係る撮像装置の外観図である。
【図２】第１の実施形態に係る撮像装置のブロック図である。
【図３】第１の実施形態に係る撮像装置の処理動作を示すフローチャートである。
【図４】撮像装置の縦位置と横位置とを説明するための図である。
【図５】第２の実施形態に係る撮像装置の外観図である。
【図６】第２の実施形態に係る撮像装置の処理動作を示すフローチャートである。
【発明を実施するための形態】
【００１０】
以下、図面を用いて本発明に係る実施形態について説明する。
（第１の実施形態）
図１は、第１の実施形態に係る撮像装置としてのデジタルカメラ（カメラ）１００の外観図である。カメラ１００は、レリーズスイッチ２、ズームレバー３、パワーボタン４、ＬＣＤ５、光学ファインダ６、モード切替スイッチ７、プリント設定ボタン８、メニューボタン９、ディスプレイボタン１０、セットボタン１１、十字キー１２等を備えている。
【００１１】
レリーズスイッチ２は、撮影者がシャッターを切るためのスイッチである。レリーズスイッチ２は、カメラ背面から見て、上面右側に配置されている。また、レリーズスイッチ２は、レリーズスイッチ２の操作途中（半押し）の状態でＯＮとなるスイッチＳＷ１と、レリーズスイッチ２の操作完了（全押し）の状態でＯＮとなるスイッチＳＷ２との２段スイッチで構成されている。スイッチＳＷ１は、ＡＦ（オートフォーカス）処理、ＡＥ（自動露出）処理、ＡＷＢ（オートホワイトバランス）処理等の撮像準備処理の動作開始を指示する。一方、スイッチＳＷ２は、シャッターの動作、すなわち撮像処理の動作開始を指示する。
【００１２】
ズームレバー３は、ズーム倍率の変更を行うレバーである。ズームレバー３は、レリーズスイッチ２に近接して配設されている。パワーボタン４は、カメラ１００の電源ＯＮ／ＯＦＦを行うボタンである。パワーボタン４は、カメラ上面の中央側に配設されている。ＬＣＤ５は、撮影画像やメニュー設定画面等を表示するディスプレイである。光学ファインダ６は、撮影者が、撮影する画角の確認やピントを合わせるためのものである。モード切替スイッチ７は、撮影モードを変更するスイッチである。ＬＣＤ５、光学ファインダ６及びモード切替スイッチ７は、カメラ１００の背面に配設されている。
【００１３】
プリント設定ボタン８は、プリンタ接続時にプリントする用紙サイズやプリント枚数を設定するボタンである。メニューボタン９は、ＬＣＤ５にメニューを表示するボタンである。表示されるメニューとしては、デジタルズームのＯＮ／ＯＦＦ、スピーカ音量の調整、ＬＣＤ５の明るさ調整、縦位置撮影時に操作スイッチに対してレリーズスイッチ２の機能の割り当てを行うか否かを設定する縦位置撮影モードのＯＮ／ＯＦＦ等の項目である。
また、ディスプレイボタン１０は、ＬＣＤ５のＯＮ／ＯＦＦを行うボタンである。セットボタン１１は、メニュー設定画面等で各種決定を行うボタンである。十字キー１２は、メニュー設定画面等において撮影者が選択項目を選択するためのボタンである。
【００１４】
ここで、プリント設定ボタン８、メニューボタン９、ディスプレイボタン１０、セットボタン１１及び十字キー１２は、それぞれ上述したような異なる操作機能を有し、各種機能を設定するために用いられる。このような操作機能を有するスイッチ及びボタンを操作スイッチ１６という。ここで、操作スイッチ１６は、カメラ１００の背面に配設されている。
【００１５】
次に、カメラ１００の内部構成について、図２を参照して説明する。図２は、カメラ１００の内部構成を示すブロック図である。なお、図２では、図１で説明した構成には同一符号を付している。
カメラ１００は、バリア１０１、撮影レンズ１０２、シャッター１０３、撮像部１０４、Ａ／Ｄ変換器１０５、音声制御部１０６、タイミング発生部１０７、メモリ制御部１０９、システム制御部１１０、画像処理部１１１、メモリ１１２を含んで構成されている。
【００１６】
バリア１０１は、撮影レンズ１０２を含む撮像部１０４を覆うことにより、撮像系の汚れや破損を防止する。シャッター１０３は、絞り機能を備えている。撮像部１０４は、光学像を電気信号に変換するＣＣＤやＣＭＯＳ素子等で構成されている。Ａ／Ｄ変換器１０５は、アナログ信号をデジタル信号に変換する。Ａ／Ｄ変換器１０５は、撮像部１０４から出力されるアナログ信号をデジタル信号に変換したり、音声制御部１０６から出力されるアナログ信号をデジタル信号に変換したりする。タイミング発生部１０７は、撮像部１０４、音声制御部１０６、Ａ／Ｄ変換器１０５、Ｄ／Ａ変換器１０８にクロック信号や制御信号を供給する。なお、タイミング発生部１０７は、メモリ制御部１０９及びシステム制御部１１０により制御される。
【００１７】
画像処理部１１１は、Ａ／Ｄ変換器１０５からのデータ、又はメモリ制御部１０９からのデータに対し所定の画素補間、縮小といったリサイズ処理や色変換処理を行う。また、画像処理部１１１は、撮影した画像データを用いて所定の演算処理を行い、得られた演算結果に基づいて、システム制御部１１０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。更に、画像処理部１１１は、撮影した画像データを用いて所定の演算処理を行い、得られた演算結果に基づいて、ＴＴＬ方式のＡＷＢ（オートホワイトバランス）処理も行っている。
【００１８】
Ａ／Ｄ変換器１０５からの出力データは、画像処理部１１１及びメモリ制御部１０９を介して、又は、直接メモリ制御部１０９を介して、メモリ１１２に書き込まれる。メモリ１１２は、撮像部１０４によって得られＡ／Ｄ変換器１０５によりデジタルデータに変換された画像データや、ＬＣＤ５を含む画像表示部１１３に表示するための画像データを格納する。なお、メモリ１１２は、マイク３１において録音された音声データ、静止画像、動画像及び画像ファイルを構成する場合のファイルヘッダを格納する場合にも用いられる。したがって、メモリ１１２は、所定枚数の静止画像や所定時間の動画像及び音声を格納するのに十分な記憶容量を備えている。また、メモリ１１２は画像表示用のメモリ（ビデオメモリ）も兼ねている。
【００１９】
更に、カメラ１００は、圧縮／伸張部１１４、インターフェース１１５、コネクタ１１６、記録媒体１９０、Ｄ／Ａ変換器１０８、画像表示部１１３、不揮発性メモリ１１７、マイク３１、スピーカ３０、記録媒体着脱検知部１２４を含んで構成されている。なお、記録媒体１９０は、記録部２０１、インターフェース２０２、コネクタ２０３を含んで構成されている。
ここで、圧縮／伸張部１１４は、適応離散コサイン変換（ＡＤＣＴ）等により画像データを圧縮、伸張する。また、圧縮／伸張部１１４は、シャッター１０３をトリガにしてメモリ１１２に格納された撮影画像を読み込んで圧縮処理を行い、処理を終えたデータをメモリ１１２に書き込む。また、圧縮／伸張部１１４は、記録媒体１９０の記録部２０１等からメモリ１１２に読み込まれた圧縮画像に対して伸張処理を行い、処理を終えたデータをメモリ１１２に書き込む。圧縮／伸張部１１４によりメモリ１１２に書き込まれた画像データは、システム制御部１１０のファイル部においてファイル化される。そして、ファイル化された画像データは、インターフェース１１５、コネクタ１１６、記録媒体１９０側のコネクタ２０３、インターフェース２０２を介して、記録媒体１９０に記録される。
【００２０】
Ｄ／Ａ変換器１０８は、メモリ１１２に格納されている画像表示用のデータをアナログ信号に変換して画像表示部１１３に供給する。画像表示部１１３は、ＬＣＤ５等の表示器上に、メモリ１１２に書き込まれた表示用の画像データをＤ／Ａ変換器１０８を介して、アナログ信号に変換して表示を行う。マイク３１から出力された音声信号は、アンプ等で構成される音声制御部１０６を介して、Ａ／Ｄ変換器１０５に供給され、Ａ／Ｄ変換器１０５においてデジタル信号に変換された後、メモリ制御部１０９によってメモリ１１２に格納される。一方、記録媒体１９０に記録されている音声データは、メモリ１１２に読み込まれた後、Ｄ／Ａ変換器１０８によりアナログ信号に変換される。音声制御部１０６は、このアナログ信号によりスピーカ３０を駆動し、音声出力する。
【００２１】
不揮発性メモリ１１７は、電気的に消去・記録可能なメモリであり、例えばＥＥＰＲＯＭ等が用いられる。不揮発性メモリ１１７には、システム制御部１１０の動作用の定数、プログラム等が記憶される。ここでいう、プログラムとは、後述する各種フローチャートを実行するためのプログラムのことである。システム制御部１１０は、不揮発性メモリ１１７に記録されたプログラムを実行することで、後述する各種フローチャートの処理を実現する。システムメモリ１１８には、システム制御部１１０の動作用の定数、変数、不揮発性メモリ１１７から読み出したプログラム等を展開する。システムメモリ１１８には、例えばＲＡＭが用いられる。
【００２２】
インターフェース１１５は、記録媒体１９０又は図示しないチューナーカード等とのインターフェースである。また、コネクタ１１６は、記録媒体１９０やチューナーカードとインターフェース１１５とを接続するための接続部である。記録媒体着脱検知部１２４は、コネクタ１１６に記録媒体１９０やチューナーカードが装着されているか否かを検知するものである。
【００２３】
記録媒体１９０は、メモリカードやハードディスク等であり、データの記録が可能な媒体である。また、記録媒体１９０には、半導体メモリや磁気ディスク等から構成される記録部２０１、カメラ１００とのインターフェース２０２、コネクタ１１６と接続するためのコネクタ２０３を備えている。
なお、コネクタ１１６、２０３は、ＳＤＩ／Ｏカードの拡張規格に準拠しており、上述した記録媒体１９０の他、ＳＤＩ／Ｏカードの拡張規格に準拠したチューナーカードが着脱可能になっている。
【００２４】
また、図２に示すように、カメラ１００には、上述したレリーズスイッチ２、ズームレバー３、モード切替スイッチ７及び操作スイッチ１６を含んで構成されている。操作スイッチ１６には、上述したように、プリント設定ボタン８、メニューボタン９、ディスプレイボタン１０、セットボタン１１及び操作キー１２を含んでいる。撮影者が、これらのスイッチ及びボタンを操作することにより、システム制御部１１０に各種の動作指示を入力することができる。
【００２５】
例えば、モード切替スイッチ７は、システム制御部１１０の動作モードを静止画記録モード、動画記録モード、再生モード等の何れかに切り替えるスイッチである。また、レリーズスイッチ２のスイッチＳＷ１は、ＯＮになると、第１シャッタースイッチ信号ＳＷ１をシステム制御部１１０に発信する。システム制御部１１０は、第１シャッタースイッチ信号ＳＷ１により、ＡＦ処理、ＡＥ処理、ＡＷＢ処理、ＥＦ処理等の撮像準備処理の動作を開始する。このように、レリーズスイッチ２のスイッチＳＷ１には、撮像準備処理の動作を指示する機能を有している。
【００２６】
また、レリーズスイッチ２のスイッチＳＷ２は、ＯＮになると、第２シャッタースイッチ信号ＳＷ２をシステム制御部１１０に発信する。システム制御部１１０は、第２シャッタースイッチ信号ＳＷ２により、撮像部１０４からの信号読み出しから記録媒体１９０に画像データを書き込むまでの一連の撮像処理の動作を開始する。このように、レリーズスイッチ２のスイッチＳＷ２には、撮像処理の動作を指示する機能（レリーズ機能）を有している。
【００２７】
操作スイッチ１６は、画像表示部１１３に表示される種々の機能アイコンを選択操作すること等により、場面毎に適宜機能が割り当てられ、各種機能を設定する機能ボタンとして作用する。機能ボタンとしては、例えば終了ボタン、戻りボタン、画像送りボタン、ジャンプボタン、絞込みボタン、属性変更ボタン等がある。例えば、操作スイッチ１６の一つであるメニューボタン９が押下されると、各種設定が可能なメニュー画面が画像表示部１１３に表示される。撮影者が、画像表示部１１３に表示されたメニュー画面を確認しながら、操作スイッチ１６としての十字キー１２及びセットボタン１１を用いて、直感的に各種設定を行うことができる。また、パワーボタン４は、カメラ１００の電源ＯＮ又はＯＦＦを切り替える。
【００２８】
更に、カメラ１００は、電源制御部１１９、コネクタ１２１、１２２、電源部１２０、ＲＴＣ１２３、通信部１２５を含んで構成されている。なお、電源部１２０には、コネクタ１２１に対応するコネクタ１２２が設けられている。
電源制御部１１９は、電池検出回路、ＤＣ−ＤＣコンバータ、通電するブロックを切り替えるスイッチ回路等により構成されている。電源制御部１１９は、電池の装着の有無、電池の種類、電池残量の検出を行う。また、電源制御部１１９は、その検出結果及びシステム制御部１１０の指示に基づいてＤＣ−ＤＣコンバータを制御し、必要な電圧を必要な期間、記録媒体１９０を含む各部へ供給する。
【００２９】
電源部１２０は、アルカリ電池やリチウム電池等の一次電池、ＮｉＣｄ電池やＮｉＭＨ電池、Ｌｉ電池等の二次電池、ＡＣアダプター等からなる。電源部１２０は、コネクタ１２１、１２２を介して、電源制御部１１９に接続される。ＲＴＣ（Ｒｅａｌ  Ｔｉｍｅ  Ｃｌｏｃｋ）１２３は、日付及び時刻を計時する。ＲＴＣ１２３は、電源制御部１１９とは別に電源部を内部に保持している。したがって、ＲＴＣ１２３は、電源部１２０がオフの状態であっても、計時状態を続けることができる。なお、システム制御部１１０は、起動時にＲＴＣ１２３より取得した日時情報に用いてシステムタイマを設定し、タイマ制御を実行する。通信部１２５は、ＲＳ２３２ＣやＵＳＢ、ＩＥＥＥ１３９４、Ｐ１２８４、ＳＣＳＩ、モデム、ＬＡＮ、無線通信等の各種通信処理を行う。コネクタ（無線通信の場合はアンテナ）１２６は、通信部１２５を介して、カメラ１００を他の機器と接続する。
【００３０】
更に、本実施形態に係るカメラ１００には、カメラ１００の姿勢を検出するための検出部としての傾斜センサー１４が設けられている。この傾斜センサー１４は、カメラ１００内部に配設されたプリント配線板上に設けられている。傾斜センサー１４の内部には、金属接点球が設けられている。この金属接点球は、自重によりカメラ１００が傾斜した方向へ転動し、固定接点と接触する。すると、傾斜センサー１４は、システム制御部１１０にパルスを発信する。システム制御部１１０は、傾斜センサー１４から発信されるパルスに基づいて、カメラが縦位置であるか、横位置であるかを判定する。すなわち、システム制御部１１０は、傾斜センサー１４の検出に基づいて、撮影者が縦位置撮影を行っているのか横位置撮影を行っているかを判定する。
【００３１】
ここで、カメラ１００の縦位置及び横位置について、図３を参照して説明する。図３（ａ）は、水平方向からみたカメラの背面図であり、カメラ１００を縦位置にした状態を示す図である。撮影者は、図３（ａ）に示すような縦位置にした状態で撮影することにより縦長な写真を撮影することができる。このように縦長な写真を撮影する状態を縦位置撮影という。システム制御部１１０は、図３（ａ）に示すような状態にある場合、傾斜センサー１４から発信されるパルスに基づいて、カメラ１００が縦位置であると判定する。
【００３２】
図３（ｂ）は、水平方向からみたカメラの背面図であり、カメラ１００を横位置にした状態を示す図である。撮影者は、図３（ｂ）に示すような横位置にした状態で撮影することにより横長な写真を撮影することができる。このように横長な写真を撮影する状態を横位置撮影という。システム制御部１１０は、図３（ｂ）に示すような状態にある場合、傾斜センサー１４から発信されるパルスに基づいて、カメラ１００が横位置であると判定する。
【００３３】
ここで、横位置撮影時において、撮影者は、レリーズスイッチ２のスイッチＳＷ１の押下（ＡＦ処理、ＡＥ処理及びＡＷＢ処理等の撮像準備処理の指示）に続いて、スイッチＳＷ２を押下（撮像処理の指示）することで撮影を行うことができる。しかしながら、縦位置撮影時において、撮影者によっては、レリーズスイッチ２の位置が、必ずしも操作しやすい位置であるとは限らない。したがって、縦位置撮影時では、撮影者は、レリーズスイッチ２を不安定な状態で操作してしまうことがあり、撮影時に手振れを起こしたり、撮影レンズ１０２や図示しないストロボ発光部に指がかかってしまったりしてしまい、撮影が失敗してしまうことがある。
【００３４】
したがって、本実施形態のカメラ１００は、カメラ１００の姿勢が縦位置であると判定した場合、カメラ１００の背面に配設された複数の操作スイッチ１６のうち、撮影者が最初に押下した操作スイッチ１６に対し、レリーズスイッチ２の機能を割り当てる。具体的に説明すると、例えば、ある撮影者が、縦位置撮影時に、ディスプレイボタン１０が、最もレリーズ操作を行い易いスイッチであると判断したとする。この場合、撮影者は、カメラ１００を縦位置にした後、ディスプレイボタン１０を最初に押下することで、カメラ１００では、ディスプレイボタン１０にレリーズスイッチ２の機能を割り当てる。
【００３５】
このとき、ディスプレイボタン１０には、レリーズスイッチ２の機能が割り当てられているため、このままでは、ＬＣＤ５のＯＮ／ＯＦＦを設定するボタンがない。すなわち、撮影者は、縦位置撮影時において、ＬＣＤ５のＯＮ／ＯＦＦを設定することができず、不都合である。したがって、本実施形態のカメラ１００は、横位置撮影時に撮像準備処理の指示の機能が設定されていたレリーズスイッチ２のスイッチＳＷ１に対し、ディスプレイボタン１０の機能を割り当てる。
更に、レリーズスイッチ２のスイッチＳＷ２に対し、撮像処理の指示の機能に加えて、撮像準備処理の指示の機能、すなわち、スイッチＳＷ１のＡＦ処理、ＡＥ処理及びＡＷＢ処理を指示する機能を割り当てる。
【００３６】
このように、本実施形態のカメラ１００は、撮影者ごとに縦位置撮影時に最も操作しやすい操作スイッチ１６にレリーズスイッチ２の機能を割り当て、更に、割り当てられた操作スイッチ１６の割り当てる前の機能をレリーズスイッチ２のスイッチＳＷ１に割り当てる。したがって、カメラ１００では、縦位置撮影時においても機能を減らすことなく、通常通りに撮影することができる。
また、本実施形態のカメラ１００は、レリーズスイッチ２のスイッチＳＷ２に、ＡＦ処理、ＡＥ処理及びＡＷＢ処理等の撮像準備処理の指示の機能と、撮像処理の指示の機能とを割り当てる。すなわち、縦位置撮影時において、撮影者が、レリーズスイッチ２のスイッチＳＷ１で停止（半押し）することなく、スイッチＳＷ２まで一気に押下することで、通常通りの撮影をすることができる。したがって、縦位置撮影時において、撮影者は、レリーズスイッチ２の機能が割り当てられた操作スイッチ１６を押下しなくとも、レリーズスイッチ２のスイッチＳＷ２を押下することでも、撮影をすることができるので、カメラ１００の操作性が向上する。
【００３７】
また、本実施形態のカメラ１００は、縦位置撮影時において、操作スイッチ１６にレリーズスイッチ２の機能が割り当てられた場合、その操作スイッチ１６を、ＬＣＤ５にアイコン１５で表示して、撮影者に通知する。例えば、レリーズスイッチ２の機能が、操作スイッチ１６の一つであるプリント設定ボタン８に割り当てられた場合、図１に示すようにアイコン１５の矢印がプリント設定ボタン８側を指し示すように表示する。したがって、撮影者は、操作スイッチ１６のうち何れの操作スイッチ１６にレリーズスイッチ２の機能が割り当てられたかを視覚的に認識することができる。
【００３８】
また、縦位置撮影を行った後、連続して横位置撮影を行うことを想定した場合、縦位置撮影時に操作スイッチ１６に割り当てたレリーズスイッチ２の機能が、横位置撮影時にも割り当てられたままの状態であると、撮影者が誤操作してしまうおそれがある。したがって、本実施形態のカメラ１００は、傾斜センサー１４による検出に基づいて、横位置撮影であると判定した場合、操作スイッチ１６の割り当てをリセットする。すなわち、カメラ１００は、初期の操作スイッチ１６の機能に戻す。同時に、カメラ１００は、レリーズスイッチ２も同様に、初期に設定された機能に戻す。すなわち、撮影者は、縦位置撮影から連続して横位置撮影を行う場合であっても、設定を変更する必要がなく、カメラ１００が自動で操作スイッチ１６及びレリーズスイッチ２の割り当てを初期設定の状態にリセットする。したがって、撮影者は、操作スイッチ１６とレリーズスイッチ２との機能を切り替える等の煩雑な操作をする必要がなく、縦位置撮影から連続して横位置撮影を行うことができ、操作性が向上する。
【００３９】
また、撮影者は、メニューボタン９により表示される縦位置撮影モードのＯＮ／ＯＦＦを選択することにより、縦位置撮影時において操作スイッチ１６にレリーズスイッチ２の機能を割り当てるか否かを設定することができる。すなわち、撮影者によっては、縦位置撮影時であっても、レリーズスイッチ２を操作することで、支障なく撮影をすることができる場合もある。したがって、本実施形態のカメラ１００では、メニュー設定画面から縦位置撮影モードのＯＮ／ＯＦＦを選択できるように構成することで、縦位置撮影時であっても、レリーズスイッチ２を操作して撮影したい撮影者にも対応することができる。
【００４０】
次に、本実施形態に係るカメラ１００の動作処理を図４に示すフローチャートを参照して、説明する。図４に示すフローチャートは、カメラ１００のパワーボタン４がＯＮされた状態で開始される。
まず、ステップＳ１において、システム制御部１１０は、縦位置撮影モードがＯＮであるかＯＦＦであるかを検出する。この処理は、選択検出手段の一例に対応する。すなわち、撮影者は、縦位置撮影において、操作スイッチ１６にレリーズスイッチ２の機能を割り当てたい場合、縦位置撮影モードのＯＮを選択し、割り当てたくない場合、縦位置撮影モードのＯＦＦを選択する。ここで、縦位置撮影モードがＯＮであると判定した場合、ステップＳ２に処理を進める。一方、縦位置撮影モードがＯＦＦであると判定した場合、ステップＳ１０に処理を進める。
【００４１】
ステップＳ２において、システム制御部１１０は、傾斜センサー１４の検出に基づいて、カメラ１００が縦位置であるか横位置であるかを判定する。この処理は、状態判定手段の一例に対応する。ここで、縦位置であると判定した場合、ステップＳ３に処理を進める。一方、横位置であると判定した場合、ステップＳ９に処理を進める。
ステップＳ３において、システム制御部１１０は、操作スイッチ１６の何れか一つが押下されたか否かを判定する。ここで、操作スイッチ１６の一つが押下されたと判定した場合、ステップＳ４に処理を進める。操作スイッチ１６の一つが押下されない場合、システム制御部１１０は、操作スイッチ１６が押下されるまで待機する。
【００４２】
ステップＳ４において、システム制御部１１０は、押下された操作スイッチ１６にレリーズスイッチ２の機能を割り当てる。より詳しく説明すると、システム制御部１１０は、操作スイッチ１６に撮像準備処理を指示する機能と撮像処理を指示する機能とを割り当てる。この処理は、割当手段の一例に対応する。
なお、ここで、撮像準備処理は、ＡＦ処理、ＡＥ処理及びＡＷＢ処理の少なくとも何れか一つを含む処理をいい、更に、他の処理が含まれていてもよい。また、割り当てる機能は、撮像処理を指示する機能のみであってもよい。
続いて、ステップＳ５において、システム制御部１１０は、ＬＣＤ５にレリーズスイッチ２の機能を割り当てられた操作スイッチ１６を撮影者に通知するアイコン１５を表示する。この処理は、通知手段の一例に対応する。
【００４３】
次に、ステップＳ６において、システム制御部１１０は、レリーズスイッチ２の機能が割り当てられた操作スイッチ１６が割り当てられる前に有していた操作機能をレリーズスイッチ２のスイッチＳＷ１に割り当てる。すなわち、システム制御部１１０は、初期に操作スイッチ１６に設定されていた操作機能をレリーズスイッチ２のスイッチＳＷ１に割り当てる。この処理は、操作割当手段の一例に対応する。
更に、システム制御部１１０は、レリーズスイッチ２のスイッチＳＷ２に撮像準備処理を指示する機能と撮像処理を指示する機能とを割り当てる。なお、レリーズスイッチ２のスイッチＳＷ２には、最初から撮像処理を指示する機能を有しているので、正確には、システム制御部１１０は、撮像準備処理を指示する機能を追加する。この処理は、撮像割当手段の一例に対応する。なお、ここで、撮像準備処理は、ＡＦ処理、ＡＥ処理及びＡＷＢ処理の少なくとも何れか一つを含む処理をいい、更に、他の処理が含まれていてもよい。
【００４４】
次に、ステップＳ７において、システム制御部１１０は、レリーズスイッチ２の機能が割り当てられた操作スイッチ１６が押下されたか否かを判定する。操作スイッチ１６が押下された場合、ステップＳ８に処理を進める。一方、操作スイッチ１６が押下されない場合、システム制御部１１０は、操作スイッチ１６が押下されるまで待機する。
ステップＳ８において、レリーズスイッチ２の機能が割り当てられた操作スイッチ１６が押下されたことで、撮像準備処理の指示と撮像処理の指示とが行われる。したがって、システム制御部１１０は、撮像準備処理を行った後、静止画の撮影を行う。なお、撮像準備処理として、操作スイッチ１６にＡＦ処理、ＡＥ処理及びＡＷＢ処理の少なくとも何れか１つの撮像準備処理の指示の機能が、割り当てられている場合は、割り当てられている機能に対応する撮像準備処理を行う。
【００４５】
なお、ステップＳ１において、縦位置撮影モードがＯＦＦであると判定した場合、ステップＳ１０において、システム制御部１１０は、レリーズスイッチ２のスイッチＳＷ１が押下されたか否かを判定する。レリーズスイッチ２のスイッチＳＷ１が押下された場合、ステップＳ１１に処理を進める。一方、レリーズスイッチ２のスイッチＳＷ１が押下されていないと判定した場合、システム制御部１１０は、レリーズスイッチ２のスイッチＳＷ１が押下されるまで待機する。
【００４６】
ステップＳ１１において、通常通り、レリーズスイッチ２のスイッチＳＷ１の機能である撮像準備処理の指示が行われ、システム制御部１１０は、ＡＦ処理、ＡＥ処理及びＡＷＢ処理等の撮像準備処理を行う。
次に、ステップＳ１２において、システム制御部１１０は、レリーズスイッチ２のスイッチＳＷ２が押下されたか否かを判定する。レリーズスイッチ２のスイッチＳＷ２が押下された場合、ステップＳ１３に処理を進める。一方、レリーズスイッチ２のスイッチＳＷ２が押下されていないと判定した場合、システム制御部１１０は、レリーズスイッチ２のスイッチＳＷ２が押下されるまで待機する。
ステップＳ１３において、通常通り、レリーズスイッチ２のスイッチＳＷ２の機能である撮像処理の指示が行われ、システム制御部１１０は、静止画の撮影を行う。
【００４７】
なお、ステップＳ２において、横位置であると判定した場合、ステップＳ９において、システム制御部１１０は、レリーズスイッチ２及び操作スイッチ１６に割り当てた機能をリセットして、初期設定の状態に戻す。この処理は、リセット手段の一例に対応する。
【００４８】
また、図４に示すフローチャートでは、ステップＳ６の処理の後に、ステップＳ７において、レリーズスイッチ２の機能が割り当てられた操作スイッチ１６が押下される処理についてのみ説明したが、この場合に限られない。すなわち、ステップＳ６の処理の後に、システム制御部１１０が、レリーズスイッチ２のスイッチＳＷ１の押下を検出した場合、システム制御部１１０は、操作スイッチ１６に初期に設定されていた操作機能を、実行する。また、ステップＳ６の処理の後に、システム制御部１１０が、レリーズスイッチ２のスイッチＳＷ１から一気にスイッチＳＷ２の押下を検出した場合、システム制御部１１０は、ＡＦ処理、ＡＥ処理及びＡＷＢ処理等行った後、静止画の撮影を行う。
【００４９】
このように、本実施形態によれば、撮影者が縦位置撮影を行う場合に、カメラ１００を縦位置にして構えた位置で最も操作しやすい操作スイッチ１６にレリーズスイッチ２の機能を割り当てることができる。したがって、撮影者によって、手の大きさやグリップ位置、利き手が異なる場合であっても、それぞれの撮影者に応じた最適な位置の操作スイッチ１６にレリーズスイッチ２の機能を割り当てることができる。したがって、撮影者は、縦位置撮影を行う場合の操作性を向上させることができる。
【００５０】
また、本実施形態では、レリーズスイッチ２の機能を割り当てる前の操作スイッチ１６の操作機能をレリーズスイッチ２に割り当てた。したがって、縦位置撮影時において、操作スイッチ１６にレリーズスイッチ２の機能が割り当てられたとしても、撮影者は操作スイッチ１６に予め設定されていた操作機能を使用することができる。
【００５１】
また、本実施形態では、レリーズスイッチ２を２段スイッチに構成して、レリーズスイッチ２の機能を割り当てる前の操作スイッチ１６の操作機能をレリーズスイッチ２の１段目に割り当てた。したがって、例えば、レリーズスイッチ２の２段目に、撮像処理を指示する機能を残すように構成することができる。そのため、撮影者は、レリーズスイッチ２の機能が割り当てられた操作スイッチ１６に加え、通常撮影時のレリーズスイッチ２を操作した場合でも、撮影を行うことができるので、カメラ１００の操作性が向上する。
【００５２】
また、本実施形態では、操作スイッチ１６にレリーズスイッチ２の機能を割り当てた場合に、撮影者に通知するように構成した。更に、割り当てた操作スイッチ１６が特定できるようにした。したがって、撮影者は、縦位置撮影時においても新しくレリーズスイッチ２の機能が割り当てられた操作スイッチ１６を認識することができるので、誤操作をすることなく撮影することができる。
【００５３】
また、本実施形態では、撮影画像やメニュー設定画面等を表示する画像表示部１１３を用いて、操作スイッチ１６にレリーズスイッチの機能を割り当てたことを、撮影者に通知するように構成した。このように、画像表示部１１３に操作スイッチ１６にレリーズスイッチ２の機能を割り当てられたことを表示することで、撮影者の視認性を高めることができる。
【００５４】
また、本実施形態では、操作スイッチ１６にレリーズスイッチ２の機能を割り当てた後に、カメラ１００が横位置であると判定した場合、操作スイッチ１６の機能を初期に設定されていた状態にリセットするように構成した。したがって、縦位置撮影終了後、撮影者は、特別な操作を行うことなく、横位置撮影を行うことができるので、縦位置撮影及び横位置撮影を連続して行う場合の操作性が向上する。
【００５５】
また、本実施形態では、縦位置撮影時において、操作スイッチ１６にレリーズスイッチ２の機能を割り当てるか否かを選択するメニュー設定画面を表示し、撮影者に選択できるように構成した。したがって、撮影者は、縦位置撮影時に操作スイッチ１６にレリーズスイッチ２の機能を割り当てるかどうかを選択できるため、縦位置撮影時において、レリーズスイッチ２を操作して撮影したい撮影者にも対応することができる。
【００５６】
（第２の実施形態）
図５は、第２の実施形態に係る撮像装置としてのデジタルカメラ（カメラ）２００の外観図である。本実施形態に係るカメラ２００の構成は、第１の実施形態に係るカメラ１００と略同一であり、以下では、異なる点を中心に説明する。なお、第１の実施形態に係るカメラ１００と同一の構成要素については、同一符号を付して、この説明は省略する。
【００５７】
本実施形態に係る操作スイッチ２６は、プリント設定ボタン１８、メニューボタン１９、ディスプレイボタン２０、セットボタン２１及び十字キー２２を含んで構成されている。
ここで、操作スイッチ２６は、全て２段スイッチにより構成されている。また、操作スイッチ２６のうち、プリント設定ボタン１８、メニューボタン１９、ディスプレイボタン２０のそれぞれ内側、詳しくは各ボタンの押下方向におけるカメラ２００内には、それぞれ不図示の発光部としてのＬＥＤが実装されている。そして、導光板により各ボタン中央部に設けられたＬＥＤ窓部１８ａ、１９ａ、２０ａから発光するように構成されている。
【００５８】
ここで、本実施形態のカメラ２００は、縦位置撮影時において、操作スイッチ２６にレリーズスイッチ２の機能が割り当てられた場合、レリーズスイッチ２の機能が割り当てられた操作スイッチ２６に対応するＬＥＤが発光する。なお、第１の実施形態と同様に、図５に示すように、レリーズスイッチ２の機能が割り当てられた操作スイッチ２６を、ＬＣＤ５にアイコン１５で表示して、撮影者に通知する。
したがって、撮影者は、ＬＥＤによる操作スイッチ２６の点灯と、ＬＣＤ５による操作スイッチ２６の表示とにより、レリーズスイッチ２の機能が割り当てられた操作スイッチ２６を、より視覚的に認識することができる。
【００５９】
また、本実施形態のカメラ２００は、上述したように操作スイッチ２６を全て２段スイッチで構成している。したがって、縦位置撮影時において、操作スイッチ２６にレリーズスイッチ２の機能を割り当てる場合、操作スイッチ２６の１段目のスイッチＳＷ１にレリーズスイッチ２のスイッチＳＷ１の機能を割り当てることができる。また、操作スイッチ２６の２段目のスイッチＳＷ２にレリーズスイッチ２のスイッチＳＷ２の機能を割り当てることができる。このように、操作スイッチ２６にレリーズスイッチ２の機能を割り当てた場合であっても、撮影者は、操作スイッチ２６のスイッチＳＷ１の押下（ＡＦ処理、ＡＥ処理及びＡＷＢ処理等の撮像準備処理の指示）に続き、スイッチＳＷ２を押下（撮像処理の指示）できる。すなわち、操作スイッチ２６に割り当てられた場合であっても、通常通りの操作で撮影を行うことができるので、縦位置撮影時の操作性を向上させることができる。
【００６０】
また、本実施形態のカメラ２００は、第１の実施形態と同様、レリーズスイッチ２の機能が割り当てられた操作スイッチ２６が割り当てられる前に有していた操作機能をレリーズスイッチ２のスイッチＳＷ１に割り当てる。更に、レリーズスイッチ２のスイッチＳＷ２に撮像処理を指示する機能に加えて、ＡＦ処理、ＡＥ処理及びＡＷＢ処理等の撮像準備処理を指示する機能を割り当てる。
したがって、撮影者ごとに縦位置撮影時に最も操作しやすい操作スイッチ２６にレリーズスイッチ２の機能を割り当てることができる。更に、割り当てられた操作スイッチ２６の割り当てる前の機能をレリーズスイッチ２のスイッチＳＷ１に割り当てる。したがって、カメラ２００では、縦位置撮影時においても機能を減らすことなく、通常通りに撮影することができる。
【００６１】
また、本実施形態のカメラ２００は、レリーズスイッチ２のスイッチＳＷ２に、ＡＦ処理、ＡＥ処理及びＡＷＢ処理等の撮像準備処理の指示の機能と、撮像処理の指示の機能とを割り当てる。すなわち、縦位置撮影時において、撮影者が、レリーズスイッチ２のスイッチＳＷ１で停止（半押し）することなく、スイッチＳＷ２まで一気に押下することで、通常通りの撮影をすることができる。したがって、縦位置撮影時において、撮影者は、レリーズスイッチ２の機能が割り当てられた操作スイッチ２６を押下しなくとも、レリーズスイッチ２のスイッチＳＷ２を押下することでも、撮影をすることができるので、カメラ２００の操作性が向上する。
【００６２】
また、縦位置撮影を行った後、連続して横位置撮影を行う場合、傾斜センサー１４による検出に基づいて、横位置撮影であると判定した場合、操作スイッチ２６の割り当てをリセットする。したがって、撮影者は、操作スイッチ２６とレリーズスイッチ２との機能を切り替える等の煩雑な操作をする必要がなく、縦位置撮影から連続して横位置撮影を行うことができ、操作性が向上する。
【００６３】
次に、本実施形態に係るカメラ２００の動作処理を図６に示すフローチャートを参照して、説明する。図６に示すフローチャートは、カメラ２００のパワーボタン４がＯＮされた状態で開始される。
まず、ステップＳ２１において、システム制御部１１０は、傾斜センサー１４の検出に基づいて、カメラ２００が縦位置であるか横位置であるかを判定する。ここで、縦位置であると判定した場合、ステップＳ２２に処理を進める。一方、横位置であると判定した場合、ステップＳ３０に処理を進める。
ステップＳ２２において、システム制御部１１０は、操作スイッチ２６の何れか一つが押下されたか否かを判定する。ここで、操作スイッチ２６の一つが押下されたと判定した場合、ステップＳ２３に処理を進める。操作スイッチ２６の一つが押下されない場合、システム制御部１１０は、操作スイッチ２６が押下されるまで待機する。
【００６４】
次に、ステップＳ２３において、システム制御部１１０は、押下された操作スイッチ２６にレリーズスイッチ２の機能を割り当てる。より詳しく説明すると、システム制御部１１０は、操作スイッチ２６の１段目のスイッチＳＷ１にレリーズスイッチ２のスイッチＳＷ１の機能、すなわち撮像準備処理を指示する機能を割り当てる。また、システム制御部１１０は、操作スイッチ２６の２段目のスイッチＳＷ２にレリーズスイッチ２のスイッチＳＷ２の機能、すなわち撮像処理を指示する機能を割り当てる。
次に、ステップＳ２４において、システム制御部１１０は、レリーズスイッチ２の機能が割り当てられた操作スイッチ２６に対応するＬＥＤを点灯させる。この処理は、通知手段の一例に対応する。また、システム制御部１１０は、ＬＣＤ５にレリーズスイッチ２の機能を割り当てられた操作スイッチ２６を撮影者に通知するアイコン１５を表示する。
【００６５】
次に、ステップＳ２５において、システム制御部１１０は、レリーズスイッチ２の機能が割り当てられた操作スイッチ２６が割り当てられる前に有していた操作機能をレリーズスイッチ２のスイッチＳＷ１に割り当てる。
更に、システム制御部１１０は、レリーズスイッチ２のスイッチＳＷ２にＡＦ処理、ＡＥ処理及びＡＷＢ処理等の撮像準備処理を指示する機能と撮像処理を指示する機能とを割り当てる。
【００６６】
次に、ステップＳ２６において、システム制御部１１０は、ステップＳ２３においてレリーズスイッチ２の機能が割り当てられた操作スイッチ２６のスイッチＳＷ１が押下されたか否かを判定する。操作スイッチ２６のスイッチＳＷ１が押下された場合、ステップＳ２７に処理を進める。一方、操作スイッチ２６のスイッチＳＷ１が押下されていないと判定した場合、システム制御部１１０は、操作スイッチ２６のスイッチＳＷ１が押下されるまで待機する。
ステップＳ２７において、撮像準備処理の指示が行われ、システム制御部１１０は、ＡＦ処理、ＡＥ処理及びＡＷＢ処理等の撮像準備処理を行う。
【００６７】
次に、ステップＳ２８において、システム制御部１１０は、ステップＳ２３においてレリーズスイッチ２の機能が割り当てられた操作スイッチ２６のスイッチＳＷ２が押下されたか否かを判定する。操作スイッチ２６のスイッチＳＷ２が押下された場合、ステップＳ２９に処理を進める。一方、操作スイッチ２６のスイッチＳＷ２が押下されていないと判定した場合、システム制御部１１０は、操作スイッチ２６のスイッチＳＷ２が押下されるまで待機する。
ステップＳ２９において、撮像処理の指示が行われ、システム制御部１１０は、静止画の撮影を行う。
【００６８】
なお、ステップＳ２１において、横位置であると判定した場合、ステップＳ３０において、システム制御部１１０は、レリーズスイッチ２及び操作スイッチ２６に割り当てた機能をリセットして、初期設定の状態に戻す。
次に、ステップＳ３１において、システム制御部１１０は、レリーズスイッチ２のスイッチＳＷ１が押下されたか否かを判定する。レリーズスイッチ２のスイッチＳＷ１が押下された場合、ステップＳ３２に処理を進める。一方、レリーズスイッチ２のスイッチＳＷ１が押下されていないと判定した場合、システム制御部１１０は、レリーズスイッチ２のスイッチＳＷ１が押下されるまで待機する。
【００６９】
ステップＳ３２において、通常通り、レリーズスイッチ２のスイッチＳＷ１の機能である撮像準備処理の指示が行われ、システム制御部１１０は、ＡＦ処理、ＡＥ処理及びＡＷＢ処理等の撮像準備処理を行う。
次に、ステップＳ３３において、システム制御部１１０は、レリーズスイッチ２のスイッチＳＷ２が押下されたか否かを判定する。レリーズスイッチ２のスイッチＳＷ２が押下された場合、ステップＳ３４に処理を進める。一方、レリーズスイッチ２のスイッチＳＷ２が押下されていないと判定した場合、システム制御部１１０は、レリーズスイッチ２のスイッチＳＷ２が押下されるまで待機する。
ステップＳ３４において、通常通り、レリーズスイッチ２のスイッチＳＷ２の機能である撮像処理の指示が行われ、システム制御部１１０は、静止画の撮影を行う。
【００７０】
このように、本実施形態によれば、操作スイッチ２６にレリーズスイッチ２の機能が割り当てられた場合、対応する操作スイッチ２６の内側、すなわち操作スイッチ２６内に配置された発光部を点灯することにより、撮影者に通知するように構成した。したがって、撮影者は、レリーズスイッチ２の機能を割り当てられた操作スイッチ２６の視認性を高めることができる。
【００７１】
また、本実施形態によれば、カメラ２００に配置された操作スイッチ２６の少なくとも一部を２段スイッチで構成したので、縦位置撮影時において、レリーズスイッチ２のスイッチＳＷ１の機能を操作スイッチ２６の１段目のスイッチＳＷ１に割り当てることができる。また、レリーズスイッチ２のスイッチＳＷ２の機能をそれぞれ操作スイッチ２６の２段目のスイッチＳＷ２に割り当てることができる。したがって、縦位置撮影時においても、横位置撮影時と同様、スイッチＳＷ１の押下によるＡＦ処理、ＡＥ処理及びＡＷＢ処理等の撮像準備処理の指示と、スイッチＳＷ２の押下による撮像処理の指示との操作ができ、縦位置撮影時の操作性が向上する。
【００７２】
なお、第１の実施形態及び第２の実施形態では、操作スイッチ１６、２６がそれぞれカメラ１００、２００の背面に配設されている場合についてのみ説明したが、この場合に限られない。すなわち、カメラ前面やカメラ上面等に配置された操作スイッチであってもよい。
【００７３】
また、第２の実施形態によれば、操作スイッチ２６を全て２段スイッチとして構成する場合について説明したが、この場合に限られない。例えば、操作スイッチ２６の少なくとも一部を２段スイッチで構成してもよい。なお、１段スイッチで構成される操作スイッチ２６が押下された場合は、操作スイッチ２６に対して、レリーズスイッチ２の機能を、第１の実施形態と同様に割り当てればよい。
【００７４】
また、第２の実施形態によれば、発光部を操作スイッチ２６の内側に設けて、ＬＥＤ窓部１８ａ、１９ａ、２０ａを介して、発光させる場合についてのみ説明したが、この場合に限られない。各操作スイッチ２６に対してそれぞれ対応する発光部を撮影者が認識できるのであれば、操作スイッチ２６の近傍の位置に設けてもよい。
【００７５】
上述した本発明の実施形態における撮像装置を構成する各手段、並びに制御方法の各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００７６】
なお、本発明は、上述した実施形態の機能を実現するソフトウェアのプログラムを、装置に直接、又は遠隔から供給することができる。そして、その装置のコンピュータが前記供給されたプログラムコードを読み出して実行することによっても達成される場合を含む。
【符号の説明】
【００７７】
１００    カメラ
２００    カメラ
２        レリーズスイッチ
５        ＬＣＤ
７        モード切替スイッチ
８        プリント設定ボタン
９        メニューボタン
１０      ディスプレイボタン
１１      セットボタン
１２      十字キー
１４      傾斜センサー
１５      アイコン
１６      操作スイッチ
２０      ディスプレイボタン
２１      セットボタン
２２      十字キー
２６      操作スイッチ
１１０    システム制御部
【図１】
2010226525.tif 000003
【図２】
2010226525.tif 000004
【図３】
2010226525.tif 000005
【図４】
2010226525.tif 000006
【図５】
2010226525.tif 000007
【図６】
2010226525.tif 000008